(57)【要約】      （修正有）【課題】商品を収納したパックを、外部からパック内の商品を確認することができ、そのまま展示と持ち運びができるようにした商品持ち運び容器を提案する。【解決手段】商品入りパック２１を宙吊りに載置するパック保持部３と、該保持部の上部にパックを持ち運ぶ把持部材１とからなり、該把持部材には内部商品を確認することができる窓部２と、前記パック保持部の下部には前記パックを宙吊りにするのに十分な高さのパック収納台部２０’とを設けた商品持ち運び容器である。【選択図】図２
2013203417.tif 000002
【特許請求の範囲】
【請求項１】
商品入りのパックを収納して持ち運ぶ商品持ち運び容器であって、
該容器には、前記パックを宙吊りに載置するパック保持部を底板の周囲に設け、該保持部の上部に延在して前記商品を入れたパックを持ち運ぶ把持部材と、該把持部材の中に前記パック内の商品を直視する窓部とを形成すると共に、前記パック保持部の下部には前記パックを宙吊りにするのに十分な高さのパック収納台部を設けたことを特徴とする商品持ち運び容器。
【請求項２】
前記把持部材の相対する位置の頂部に、それぞれ差込片とスリットとを係止可能に設けると共に、前記把持部材の基部に設けた切欠部と前記相対して設けた把持部材とはクロスして前記パック保持部から上方に延在する支持部材に設けた切欠部とを係合可能に設けた請求項１に記載の商品持ち運び容器。
【請求項３】
パックを載置するパック保持部を周縁に残し、その内側に相対する切目と外折目で略四角形に設けるとともに、該相対する切目間の中央にも切目を設けて全体としてＨ字状のスリットを設けた底板と、該底板の一方の相対する内折目を介して設けた窓部を有する一対の把持部材と、前記底板から他方の相対する内折目を介して前記把持部材とクロスして相対して設けた一対の支持部材とを設けた一枚の基板とからなり、前記一対の把持部材における前記底板と反対側には差込片とスリットをそれぞれ設け、前記把持部材の基部両側に切欠部を設け、かつ前記支持部材の両側にも前記把持部材の切欠部に嵌入する切欠部をそれぞれ設け、前記底板の外折目を折り曲げてパック収納台部を下方に開くとともに、前記把持部材と支持部材の内折目を内側に折り曲げて前記把持部材の一方の差込片を他方のスリット内に挿入するとともに、前記把持部材の切欠部と支持部材の切欠部とを互いに差し込み組み合わせることで前記把持部材と支持部材を係合したことを特徴とする商品持ち運び容器。
【請求項４】
前記一対の把持部材のスリットと、該スリットに差し込む差込片のそれぞれに延在する内折目を設け、かつ前記相対する把持部材と支持部材のスリット下に内折目を設けた請求項３に記載の商品持ち運び容器。
【発明の詳細な説明】
【技術分野】
【０００１】
本発明は、商品持ち運び容器、詳細には品物を入れたパックを収納して持ち運ぶ商品持ち運び容器に関する。
【背景技術】
【０００２】
山折り及び谷折りの折曲部や係止孔を設けた第１紙片〜第４紙片を一枚の基板に設け、その基板を組み立てて、物品を収容して搬送する組立箱が数多く提案されている。特に、収容物を雛壇に展示し、それを変形して把持部を有する運搬用組立箱がある（例えば、特許文献１）。
【０００３】
また、１／２や１／４等にカットされたスイカなどの球状果物を、形状を壊すことなく自宅などへ運搬するために、果物の形状を考慮して、一枚の基板内に一対の楕円弧状スリットを設け、その弧状スリットの中間にカットされた果物を置き、基板中の内側を外側へ折る罫線を折り曲げ、上下の取手部を合わせてカットした果物を持ち運び可能にした果物運搬用原紙シートも公開されている（特許文献２）。
【０００４】
しかし、特許文献１は、上部中央に把持部を有するので物品を収容して安定した持ち運びができ、かつ収容物を雛壇に展示できるというメリットを有する組立箱であるものの、その組立箱内に商品としての収容物を直接収納して展示するものであり、運搬時と展示時の形態を変形する手間が掛かる。また、収容物が組立箱の底板に直に接するため、商品の傷みに対して考慮されていないという欠点がある。
【０００５】
また、特許文献２の発明も、カットした果物の側面と上面からの衝撃にはある程度の考慮がされているものの、特許文献１と同様に、果物に対する底部からの衝撃について配慮されていない。また、陳列時の積み重ねに対しての配慮はあるものの、特許文献１と同様に、１枚の厚紙から組み立てられた包装体上に直接載置するもので、陳列と云っても果物の中身を確認できるものではない。
【先行技術文献】
【特許文献】
【０００６】
【特許文献１】実用新案登録第３１６４５９０号
【特許文献２】特開２００６−９６４０７
【発明の概要】
【発明が解決しようとする課題】
【０００７】
本発明は、上記欠点や不都合を解決するものであり、第一に、商品を容器に直接載置して持ち運ぶ箱（パック）に関するものではなく、パックに収納した商品を持ち運ぶものであり、第二に、パックごと商品を宙吊りに載置してパック内の商品を傷めない様な手段を講じ、さらに第三にパック内の商品を外部から視認するディスプレイとしての機能を発揮する商品持ち運び容器を提案せんとする。
【課題を解決するための手段】
【０００８】
本発明は、上記課題を解決したものであり、その要旨として商品入りのパックを収納して持ち運ぶ商品持ち運び容器であって、該容器には、前記パックを宙吊りに載置するパック保持部を底板の周囲に設け、該保持部の上部に延在して前記商品を入れたパックを持ち運ぶ把持部材と、該把持部材の中に前記パック内の商品を直視する窓部とを形成すると共に、前記パック保持部の下部には前記パックを宙吊りにするのに十分な高さのパック収納台部を設けたことを特徴とする商品持ち運び容器を提供する。
【０００９】
前記パック保持部は、商品入りのパックを載置するものであり、前記把持部材は持ち運びのための把持する機能と、窓部で包装内の商品を確認できる機能とを有し、パック収納台部は、商品を入れた前記パックを宙吊り状態に保持して展示あるいは持ち帰りの運搬機能を発揮したものである。
【００１０】
他の本発明は、パックを載置するパック保持部を周縁に残し、その内側に相対する切目と外折目で略四角形に設けるとともに、該相対する切目間の中央にも切目を設けて全体としてＨ字状のスリットを設けた底板と、該底板の一方の相対する内折目を介して設けた窓部を有する一対の把持部材と、前記底板から他方の相対する内折目を介して前記把持部材とクロスして相対して設けた一対の支持部材とを設けた一枚の基板とからなり、前記一対の把持部材における前記底板と反対側には差込片とスリットをそれぞれ設け、前記把持部材の基部両側に切欠部を設け、かつ前記支持部材の両側にも前記把持部材の切欠部に嵌入する切欠部をそれぞれ設け、前記底板の外折目を折り曲げてパック収納台部を下方に開くとともに、前記把持部材と支持部材の内折目を内側に折り曲げて前記把持部材の一方の差込片を他方のスリット内に挿入するとともに、前記把持部材の切欠部と支持部材の切欠部とを互いに差し込み組み合わせることで前記把持部材と支持部材を係合したことを特徴とする商品持ち運び容器である。
【００１１】
このように構成することにより、本発明を一枚の打ち抜き基板として平板状態で収納、搬送でき、利用時に基板から商品持ち運び容器として組み立てることができるようにした。
【発明の効果】
【００１２】
上記構成からなる組み立てた本発明によれば、果実や菓子などの商品を入れたパックをそのまま本発明の商品持ち運び容器に入れて、商品入りのパックを宙吊りにした状態で展示し、持ち運ぶことができる。切目、折目、窓部を一度で打ち抜いた薄板状の基板から持ち運びしておき、使用時に組み立て利用に供する。
【００１３】
組み立てとしては、少なくとも中央に底板を、その四周に把持部材と支持部材から成る基板において、相対する位置にある把持部材には窓部とその先方に差込片を差し込むスリットを設け、その一組の把持部材の両端にあるスリットと把持部材とクロスした位置にある支持部材の両端にあるスリットとを、前記底板の四端にある内折目を折り曲げることで、スリットに差込片を差し込み、把持部材と支持部材との切欠部を係合することにより、簡単に商品持ち運び容器を組み立てることができる。
【図面の簡単な説明】
【００１４】
【図１】本発明の商品持ち運び容器を作成する基板の平面図である。
【図２】図１の組み立て説明図であり、組み立ての際に商品イチゴを入れたパックを差し入れる状態を示す説明図である。
【図３】図２からパックをパック保持部に載置し、パック収納台部を外折目で下方に開いた状態を示す説明図である。
【図４】底板から左右にそれぞれ相対して延在する把持部材と支持部材の組み立て説明図である。
【図５】本発明である商品持ち運び容器を完成する直前の説明図である。
【図６】完成した商品持ち運び容器を持ち運びのため把持した状態の説明図である。
【発明を実施するための形態】
【００１５】
発明の一つとして、底板の周囲に商品入りのパックを載置する窓部を有するパック保持部を設け、該パック保持部の下部には前記パック保持部に載置したパックを宙吊りに保持できるようにパック収納台部を設けたことを特徴とする。
また、別の発明として、底板を挟んで相対する位置に商品を直視する窓部を設けた把持部材と、該部材にクロスして支持部材を設けた一枚の基板であって、前記底板と反対側にある一方の把持部材に設けた差込片を他方の把持部材のスリットに差し込み、底板の前記把持部材にクロスして隣接する支持部材に設けた切欠部を前記把持部材の切欠部に差し込んで商品持ち運び容器を組み立てる。
【実施例】
【００１６】
以下に、本発明の好ましい実施例を図１乃至図６により説明する。
中央の底板４四周からは、中央内部に長方形の窓部２，２’を有する左右翼状にした長方形の把持部材１，１’と、該把持部材１，１’とクロスした長方形の支持部材８，８’とが、それぞれ延在する。把持部材１，１’は前記底板４との境目に内折目５，５’を設けると共に、これら内折目５，５’に平行して把持部材１，１’側に外折目８，８’を設け、これら外折目８，８’の両端からスリット６，６’と、この相対するスリット６，６’の中央を結ぶスリット７により全体として略Ｔ字状のスリットを設けて、Ｔ字状のスリットと外折目８，８’間をパック収納台部２０，２０’とする。
【００１７】
また、前記底板４には前記把持部材１，１’とクロスする方向に境目にある内折目９，９’を介して前記支持部材８，８’が延在し、内折目５，５’と外折目１８，１８’と、及び内折目９，９’とスリット６，６’間にパック保持部材３を形成する。このパック保持部材３は、図のように四角形の輪状であっても、断続的にしたものであってもよい。
【００１８】
そして、前記窓部２，２’を有する左右の把持部材１，１’の上下にスリット１０，１０’と内折目１１，１１’を並設し、かつ把持部材１，１’の前記底板４と反対側の一方の先部に内折目１７を介して差込片１２を、他方の把持部材１’の他方の先部にある内折目１７’の中央位置にスリット１３をそれぞれ設けている。
【００１９】
なお、前記スリットの１０，１０’と窓部２，２’間には、左右の把持部材２，２’を折り曲げて連結し易くするための外折目１４，１４’を設ける。
【００２０】
そして、前記上下の支持部材８，８’の先部には、組み立て時に内折目１５，１５’を折り曲げて、その左右に隣接する把持部材１，１’のスリット１０，１０’に差し込み結合するスリット１６，１６’が設けられている。
【００２１】
上記各構成は、全体が一枚の基板の中に、窓部２，２’の打ち抜きと同時にスリット６,６’,７，１０，１０’，１３，１６，１６’と内折目５，５’、９，９’、１１，１１’、１５，１５’、１７，１７’、及び外折目１８，１８’と１４，１４’を設ける。
【００２２】
つぎに、上記項製の基板から、本発明である商品持ち運び容器を、以下の順序で組み立てる。
【００２３】
まず、図１の基板から図２のように、底板４の周囲にある内折目５，５’と９，９’を内方に、外折目１８，１８’を外方に折り曲げ、矢印で示すように、上方から商品（イチゴ）を入れたパック２１をパック保持部３上に載置する（図３）。
【００２４】
つぎに、図４に示すように、把持部材１，１’の内折目１１，１１’を内側に折り、差込片１２をスリット１３に差し込み、これと同時或いはその後で、支持部材８，８’のスリット１６，１６’と把持部材１，１’のスリット１０，１０’を互いに差し込む（図５）。なお、この場合に外折目１４，１４’を少し外側に折り曲げた方が前記スリット１６，１６’とスリット１０，１０’との差し込みが容易になる。
【００２５】
このようにして、出来上がった商品持ち運び容器を店内に展示して、パック２１の内部に入れた商品が窓部を通して消費者において確認でき、パック２１の底部も本発明容器中に浮いた状態にし、展示する台上に直かに接することがないので、商品の温度管理が容易になり、外部からの異物との接触を防止して新鮮さを保つことができる。
また、本発明の商品を購入した消費者が、その展示状態を維持して持ち運びすることができる。
【産業上の利用可能性】
【００２６】
本発明は、展示兼用の商品持ち運び容器に利用するものである。
【符号の説明】
【００２７】
１，１’      把持部材
２，２’      窓部
３            パック保持部
２０，２０’  パック収納台部
２１          パック
【図１】
2013203417.tif 000003
【図２】
2013203417.tif 000004
【図３】
2013203417.tif 000005
【図４】
2013203417.tif 000006
【図５】
2013203417.tif 000007
【図６】
2013203417.tif 000008